(57)【要約】【課題】  ピッキングに対抗するため錠前の鍵穴を閉塞することのできる鍵穴閉塞装置を提供しようとする。【解決手段】  従来の錠前の鍵穴を閉塞することのできる鍵穴閉塞装にかわって、鍵前の内部構造に当接して滑ることのできる滑り面を設けられた長尺の部位である第一挿入部を有する第一閉塞体と、鍵前の内部構造に係合するロック面を設けられた長尺の部位である第二挿入部を有する第二閉塞体と、前記第一挿入部と前記第二挿入部との少なくとも一方を前記長手方向に往復動させることをできる端部機構と、を備え、第一挿入部または第二挿入部の一方が第一挿入部または第二挿入部の他方を前記長手方向に摺動自在に案内するガイドを有し、互いの長手方向を揃えて鍵穴に挿入された第一挿入部と第二挿入部との少なくとも一方が前記長手方向に動くと前記滑り面が内部構造に当接して滑り前記ロック面の内部構造に対する係合を解除する、ものとした。【選択図】    図１
2005299360.tif 000002
【特許請求の範囲】
【請求項１】
錠前の鍵穴を閉塞することのできる鍵穴閉塞装置であって、
鍵穴に挿入されて鍵前の内部構造に当接して滑ることのできる滑り面を設けられた長尺の部位である第一挿入部を有する第一閉塞体と、
鍵穴に挿入されて鍵前の内部構造に係合するロック面を設けられた長尺の部位である第二挿入部を有する第二閉塞体と、
互いの長手方向を揃えた前記第一挿入部と前記第二挿入部との少なくとも一方を前記長手方向に往復動させることをできる端部機構と、
を備え、
第一挿入部または第二挿入部の一方が第一挿入部または第二挿入部の他方を前記長手方向に摺動自在に案内するガイドを有し、
互いの長手方向を揃えて鍵穴に挿入された第一挿入部と第二挿入部との少なくとも一方が前記長手方向に動くと前記滑り面が内部構造に当接して滑り内部構造に対する前記ロック面の係合を解除する、
ことを特徴とする鍵穴閉塞装置。
【請求項２】
前記ガイドが第一挿入部または第二挿入部の一方に設けられ前記長手方向に延びた貫通孔であって、
第一挿入部または第二挿入部の他方の前記長手方向に延びた部位が前記貫通孔に嵌合している、
ことを特徴とする請求項１に記載の鍵穴閉塞装置。
【請求項３】
第一挿入部が長尺の板状の部位であり、
第二挿入部が長尺の板状の部位であり、
前記長手方向に平行な視線から見て第一挿入部と第二挿入部とが前記貫通孔の位置を交差点として交差している、
ことを特徴とする請求項２に記載の鍵穴閉塞装置。
【請求項４】
前記ガイドが第一挿入部または第二挿入部の一方に設けられ前記長手方向に延びた溝であって、
第一挿入部または第二挿入部の他方の前記長手方向に延びた部位が前記溝に嵌合している、
ことを特徴とする請求項１に記載の鍵穴閉塞装置。
【請求項５】
長手方向に平行な視線から見て第一挿入部と第二挿入部の一方が前記溝を形成するコの字状の断面を有し、
第一挿入部と第二挿入部の他方が長尺の板状の部位であり、
第一挿入部と第二挿入部の他方の縁部が前記溝に嵌合している、
ことを特徴とする請求項４に記載の鍵穴閉塞装置。
【請求項６】
前記第一挿入部と前記第二挿入部とが前記長手方向に交差する方向に分解不能になっている、
ことを特徴とする請求項１に記載の鍵穴閉塞装置。
【発明の詳細な説明】
【技術分野】
【０００１】  本発明は、錠前の鍵穴を閉塞することのできる鍵穴閉塞装置に係る。特に、ピッキング防止に好適な構造を有する鍵穴閉塞装置に関する。
【背景技術】
【０００２】  近年、施錠装置の不正解錠事件が多数発生している。従来の施錠装置は、通常のピッキングツール等によって容易に解錠できる。不正解錠を防止するには、既存の施錠装置を新たな形式の施錠放置に交換するか、既存の錠前に加えて新たな錠前を装着していわゆるワンドアツーロックにするのが効果的である。【０００３】  しかし、既存の錠前の交換が容易でない場合や、新たな錠前を通過することが困難な場合がある。例えば、ユーザが自動車や自動二輪車に設けられた錠前を新たな形式の錠前に交換することは事実上不可能である。【０００４】
【特許文献１】      登録実用新案公報第３００８４０７号
【特許文献２】      実開２００２−２０１８３１号公報
【特許文献３】      登録実用新案公報第３０９０４８３号
【特許文献４】      登録実用新案公報第３０９３３３２号
【発明の開示】
【発明が解決しようとする課題】
【０００５】  本発明は以上に述べた問題点に鑑み案出されたもので、ピッキングに対抗するため錠前の鍵穴を閉塞することのできる鍵穴閉塞装置を提供しようとする。
【課題を解決するための手段】
【０００６】  上記目的を達成するため、本発明に係る錠前の鍵穴を閉塞することのできる鍵穴閉塞装置を、鍵穴に挿入されて鍵前の内部構造に当接して滑ることのできる滑り面を設けられた長尺の部位である第一挿入部を有する第一閉塞体と、鍵穴に挿入されて鍵前の内部構造に係合するロック面を設けられた長尺の部位である第二挿入部を有する第二閉塞体と、互いの長手方向を揃えた前記第一挿入部と前記第二挿入部との少なくとも一方を前記長手方向に往復動させることをできる端部機構と、を備え、第一挿入部または第二挿入部の一方が第一挿入部または第二挿入部の他方を前記長手方向に摺動自在に案内するガイドを有し、互いの長手方向を揃えて鍵穴に挿入された第一挿入部と第二挿入部との少なくとも一方が前記長手方向に動くと前記滑り面が内部構造に当接して滑り内部構造に対する前記ロック面の係合を解除する、ものとした。【０００７】  上記本発明の構成により、第一閉塞体の第一挿入部が鍵穴に挿入されて鍵前の内部構造に当接して滑ることのできる滑り面を設けられた長尺の部位であり、第二閉塞体の第二挿入部が鍵穴に挿入されて鍵前の内部構造に係合するロック面を設けられた長尺の部位であり、端部機構が互いの長手方向を揃えた前記第一挿入部と前記第二挿入部との少なくとも一方を長手方向に往復動させることをでき、互いの長手方向を揃えて鍵穴に挿入された第一挿入部と第二挿入部との少なくとも一方が前記長手方向に動くと前記滑り面が内部構造に当接して滑り内部構造に対する前記ロック面の係合を解除するので、第一閉塞体と第二閉塞体とを錠前に挿入すると前記ロック面が鍵穴の内部構造に係合して第一挿入部と第二挿入部とが鍵穴を閉塞でき、前記端部機構が鍵穴に挿入された第一挿入部と第二挿入部との少なくとも一方を長手方向へ動かすと前記ロック面の内部構造に対する係合が解除されて第一挿入部と第二挿入部とを鍵穴から抜くことができ、第一挿入部または第二挿入部の一方が第一挿入部または第二挿入部の他方を前記長手方向に摺動自在に案内するガイドを有するので、前記ガイドの案内面が第一挿入部と第二挿入部との長手方向に交差する方向の相対的移動を拘束し、第一挿入部と第二挿入部との全体の剛性が向上する。【０００８】  さらに、本発明に係る実施形態の鍵穴閉塞装置は、前記ガイドが第一挿入部または第二挿入部の一方に設けられ前記長手方向に延びた貫通孔であって、第一挿入部または第二挿入部の他方の前記長手方向に延びた部位が前記貫通孔に嵌合している。
上記本発明の構成により、第一挿入部または第二挿入部の他方の前記長手方向に延びた部位が第一挿入部または第二挿入部の一方に設けられ前記長手方向に延びた貫通孔に嵌合するので、前記第一挿入部と前記第二挿入部との全体の剛性が向上する。【０００９】  さらに、本発明に係る実施形態の鍵穴閉塞装置は、第一挿入部が長尺の板状の部位であり、第二挿入部が長尺の板状の部位であり、前記長手方向に平行な視線から見て第一挿入部と第二挿入部とが前記貫通孔の位置を交差点として交差している。
上記本発明の構成により、前記長手方向に平行な視線から見て板状の第一挿入部と板状の第二挿入部とが前記貫通孔の位置を交差点として交差しているので、前記第一挿入部と前記第二挿入部とが交差点を介して拘束し合い、前記第一挿入部と前記第二挿入部との全体の剛性が向上する。【００１０】  さらに、本発明に係る実施形態の鍵穴閉塞装置は、前記ガイドが第一挿入部または第二挿入部の一方に設けられ前記長手方向に延びた溝であって、第一挿入部または第二挿入部の他方の前記長手方向に延びた部位が前記溝に嵌合している。
上記本発明の構成により、第一挿入部または第二挿入部の他方の前記長手方向に延びた部位が第一挿入部または第二挿入部の一方に設けられ前記長手方向に延びた溝に嵌合するので、前記第一挿入部と前記第二挿入部との全体の剛性が向上する。【００１１】  さらに、本発明に係る実施形態の鍵穴閉塞装置は、長手方向に平行な視線から見て第一挿入部と第二挿入部の一方が前記溝を形成するコの字状の断面を有し、第一挿入部と第二挿入部の他方が長尺の板状の部位であり、第一挿入部と第二挿入部の他方の縁部が前記溝に嵌合している。
上記本発明の構成により、第一挿入部と第二挿入部の他方の縁部が長手方向に平行な視線から見て第一挿入部と第二挿入部の一方のコの字状の断面が形成する前記溝に嵌合するので、前記第一挿入部と前記第二挿入部とが他方の縁部と一方のコの字状の断面を介して拘束し合い、前記第一挿入部と前記第二挿入部との全体の剛性が向上する。【００１２】  さらに、本発明に係る実施形態の鍵穴閉塞装置は、前記第一挿入部と前記第二挿入部とが前記長手方向に交差する方向に分解不能になっている。
上記本発明の構成により、前記第一挿入部と前記第二挿入部とが前記長手方向に交差する方向に分解不能になっているので、前記第一挿入部と前記第二挿入部との全体の剛性がより向上する。
【発明の効果】
【００１３】  以上説明したように本発明の鍵穴閉塞装置は、その構成により、以下の効果を有する。
鍵穴に挿入できる長尺の部位である第一挿入部に内部構造に当接して滑ることのできる滑り面を設け、鍵穴に挿入できる長尺の部位である第二挿入部に内部構造に係合できるロック面を設け、第一挿入部と第二挿入部との少なくとも一方を前記長手方向に往復動させることをできる端部機構を設け、互いの長手方向を揃えて鍵穴に挿入された第一挿入部と第二挿入部との少なくとも一方が前記長手方向に動くと前記滑り面が内部構造に当接して滑り内部構造に対する前記ロック面の係合を解除する様にしたので、互いの長手方向を揃えた第一閉塞体と第二閉塞体とを錠前に挿入すると前記ロック面が鍵穴の内部構造に係合して第一挿入部と第二挿入部とが鍵穴を閉塞でき、前記端部機構が鍵穴に挿入された第一挿入部と第二挿入部との少なくとも一方を長手方向へ動かすと前記ロック面の内部構造に対する係合が解除されて第一挿入部と第二挿入部とを鍵穴から抜くことができ、また、第一挿入部または第二挿入部の一方が第一挿入部または第二挿入部の他方を前記長手方向に摺動自在に案内するガイドを有するので、前記ガイドが第一挿入部と第二挿入部との長手方向に交差する方向の相対的移動を拘束し、第一挿入部と第二挿入部との全体の剛性が向上する。
また、第一挿入部または第二挿入部の他方の前記長手方向に延びた部位が第一挿入部または第二挿入部の一方に設けられ前記長手方向に延びた貫通孔に嵌合するので、前記第一挿入部と前記第二挿入部との全体の剛性が向上する。
また、前記長手方向に平行な視線から見て板状の第一挿入部と板状の第二挿入部とが前記貫通孔の位置を交差点として交差しているので、前記第一挿入部と前記第二挿入部とが交差点を介して拘束し合い、前記第一挿入部と前記第二挿入部との全体の剛性が向上する。
また、第一挿入部または第二挿入部の他方の前記長手方向に延びた部位が第一挿入部または第二挿入部の一方に設けられ前記長手方向に延びた溝に嵌合するので、前記第一挿入部と前記第二挿入部との全体の剛性が向上する。
また、第一挿入部と第二挿入部の他方の縁部が長手方向に平行な視線から見て第一挿入部と第二挿入部の一方のコの字状の断面が形成する前記溝に嵌合するので、前記第一挿入部と前記第二挿入部とが他方の縁部と一方のコの字状の断面を介して拘束し合い、前記第一挿入部と前記第二挿入部との全体の剛性が向上する。
また、前記第一挿入部と前記第二挿入部とが前記長手方向に交差する方向に分解不能になっているので、前記第一挿入部と前記第二挿入部との全体の剛性がより向上する。
従って、ピッキングに対抗するため錠前の鍵穴を閉塞することのできる鍵穴閉塞装置を提供できる。
【発明を実施するための最良の形態】
【００１４】  以下、本発明を実施するための最良の形態を、図面を参照して説明する。なお、各図において、共通する部分には同一の符号を付し、重複した説明を省略する。【００１５】  最初に、本発明の実施形態に係る鍵穴閉塞装置の全体を説明する。図６は、本発明の実施形態に係る鍵穴閉塞装置の全体断面図である。図７は、本発明の実施形態に係る鍵穴閉塞装置の組立図である。図８は、本発明の実施形態に係る鍵穴閉塞装置の作動図である。【００１６】  鍵穴閉鎖装置１は、錠前２の鍵穴を閉塞することのできる装置であり、第一閉塞体１０と第二閉塞体２０と端部機構とで構成される。
説明の容易のために、錠前の鍵穴の奥方向を前方、反対方向を後方として説明する。【００１７】  第一閉塞体１０は、後述する第二閉塞体２０と一体となって一部の部位を鍵孔に挿入される部材であって、第一挿入部１１と第一従動部１２とで構成される。
第一挿入部１１は、鍵穴に挿入されて鍵前２の内部構造３に当接して滑ることのできる滑り面１３と尖った先端部である第一挿入ヘッド１４とを設けられた長尺の部位である。
例えば、第一挿入部１１は板状の長尺の部位である。板状の部位の縁に設けられた切り欠き部が滑り面を形成する。滑り面は、長手方向に対して所定の角度で傾いて後方に向いた傾斜面である。所定の角度は、第一挿入部１１の材質と内部構造の材質の摩擦角より小さな角度である。複数の滑り面が設けられていてもよい。
第一従動部１２は、第一挿入部１１の後端部に繋がった部位であり、後述する端部機構に連結する。
図７は、第一回動孔１５が第一従動部１２に設けられ、第一回動孔１５が端部機構に連結しているのを示している。例えば、第一従動部１２は、略矩形の板状の部位であり、第一回動孔１５は、楕円形の打ち抜き孔である。【００１８】  第二閉塞体２０は、前述した第一閉塞体１０と一体となって一部の部位を鍵孔に挿入される部材であって、第二挿入部２１と第二従動部２２とで構成される。
第二挿入部２１は、鍵穴に挿入されて鍵前２の内部構造３に係合するロック面２３と尖った先端部である第二挿入ヘッド２４とを設けられた長尺の部位である。
例えば、第二挿入部２１は板状の長尺の部位である。板状の部位の縁に設けられた切り欠き部がロック面を形成する。ロック面は、長手方向に対して直角または直角に近い角度で交差して後方に向いた面である。直角に近い角度は、第一挿入部１１の材質と内部構造の材質の摩擦角より大きな角度である。複数のロック面が、設けられていてもよい。
第二従動部２２は、第二挿入部２１の後端部に繋がった部位であり、後述する端部機構に連結する。
図７は、第二回動孔２５が第二従動部２２に設けられ、第二回動孔２５が端部機構に連結しているのを示している。例えば、第二従動部２２は、略矩形の板状の部位である、第二回動孔は、真円の打ち抜き孔である。【００１９】  第一挿入部または第二挿入部の一方が第一挿入部または第二挿入部の他方を前記長手方向に摺動自在に案内するガイドを有する。
例えば、ガイドは、第一挿入部または第二挿入部の一方に設けられた長手方向に伸びた貫通孔、第一挿入部または第二挿入部の一方に設けられた長手方向に伸びた溝である。
ガイドのより詳細な構造については、後述する複数の実施形態に係る第一挿入部と第二挿入部の構造の説明において詳述する。【００２０】  第一挿入部１１と第二挿入部２１とは、互いの長手方向を揃えて、鍵穴に挿入することができる。第一挿入部１１と第二挿入部とは、長手方向に相対的に移動距離Ｄだけ往復動できる。例えば、第二挿入部２１を基準として第一層入部１１を長手方向に移動距離Ｄだけ往復動できる。
第一挿入部１１と第二挿入部２１とが錠孔の中を前方へ進むと、第一挿入ヘッド１４と第二挿入ヘッド２４とが錠前の内部構造に当接して滑りながら、錠孔に入って行く。
第一挿入部１１と第二挿入部２１とを完全に鍵穴の挿入すると、第二挿入部２１のロック面２３が内部構造に係合できる。ロック面２３が内部構造に係合し、第一挿入部１１と第二挿入部２１とを鍵穴から引き抜ことができない。
例えば、第二挿入部２１を基準にして第一挿入部１１を長手方向の移動距離Ｄの一方（例えば、前方）へ移動させた状態で、第一挿入部１１と第二挿入部２１とを完全に鍵穴２へ挿入すると、第二挿入部２１のロック面２３が内部構造に係合係合し、第一挿入部１１と第二挿入部２１とを鍵穴から引き抜ことができない。
例えば、錠前がピンタンブラー式である場合、ロック面２３が鍵穴に突出したタンブラーピンの側面に係合する。【００２１】  互いの長手方向を揃えて鍵穴に挿入された第一挿入部１１と第二挿入部２１との少なくとも一方が長手方向に動くと、滑り面１３が内部構造３に当接して滑ってロック面２３の内部構造３に対する係合を解除する。
例えば、第二挿入部２１を基準にして第一挿入部１１を長手方向の移動距離Ｄの他方（例えば、後方）へ移動させると、滑り面１３が内部構造３に当接して滑って内部構造を引っ込めるので、ロック面２３と内部構造３の係合が外れる。この状態で、第一閉塞体１０と第二閉塞体２０とを引っ張ると、第一挿入部１１と第二挿入部２１とが鍵穴から抜ける。
例えば、錠前がピンタンブラー式である場合、第一挿入部１１と第二挿入部２１とを鍵穴から引き抜くと、滑り面１３が、タンブラーピン３に当接し、タンブラーピン３をタンブラーピン３をスプリング４の付勢力に抗して押し込む。タンブラーピン３が引っ込むとロック面２３とタンブラーピン３の係合が解除できる。この状態で、第一閉塞体１０と第二閉塞体２０とを引っ張ると、第一挿入部１１と第二挿入部２１とが鍵穴から抜ける。【００２２】  端部機構は、互いの長手方向を揃えた前記第一挿入部と前記第二挿入部との少なくとも一方を前記長手方向に往復動させることをできる機構である。
例えば、端部機構は、カムディスク３０と装置用錠前４０とカム押さえ５０とケーシング６０と鍵７０とで構成される。【００２３】  カムディスク３０は、第一回動孔１５と第二回動孔２５とに嵌合して、第一従動部１２と第二従動部２２とを長手方向に往復動させる機械要素である。
カムディスク３０は、カムディスク基台３１と第一カム３２と第二カム３３とで構成される。
カムディスク基台３１は、後述する装置用錠前シリンダ４２の後端に連結して回転される部材であり、第一カム３２と第二カム３３とが固着している。
第一カム３２は、円形の突起部であり、円の中心がカムディスク基台３１の回転中心から偏心している。
第二カム３３は、第一カム３２の突起部より小さな円形の突起部であり、円の中心がカムディスク基台３１の回転中心に一致する。
カムディスク３０が回転すると、第二挿入部２１を固定し、第一従動部１２の第一回動孔１５を介して第一挿入部１１を長手方向に移動距離Ｄだけ往復動させる。【００２４】  装置用錠前４０は、鍵７０によりカムディスク３０を回転させる機械要素であり、装置用錠前外套４１と装置用錠前シリンダ４２とで構成される。
装置用錠前外套４１は、後述するケーシング６０に固定される。
装置用錠前シリンダ４２は、装置用錠前外套に支持されて回転可能な錠前である。合致する鍵７０を挿入すると、装置用錠前シリンダ４２を回転させることができる。【００２５】  カム押さえ５０は、カムディスク３０を装置用錠前シリンダ４２の後端に固定する部材であり、ストッパ５１とねじ５２とで構成される。ストッパ５１が、カムディスク３０を押さえる部材である。ねし５２が、ストッパ５１とカムディスク３０を貫通して装置用碇前シリンダ４２にねじ込まれる。【００２６】  ケーシング６０は、鍵穴閉塞装置１の覆うものであり、ケース６１とシリンダキャップ６２とで構成される。
ケース６１は、端部機構を囲う構造体である。
シリンダキャップ６２は、ケース６１に固定され、鍵穴閉塞装置１が錠前にセットされた際にベゼルシリンダ６を押し付ける部材である。
ベゼルシリンダ６が押し付けられると、ベゼルシリンダ６とドア５と隙間から何らかの不正操作をすることを防止できる。【００２７】  次に、本発明の実施形態に係る第一と第二の形式の第一閉塞体と第二閉塞体とを説明する。
ガイドＧが第一挿入部１１ａ〜ｂまたは第二挿入部２１ａ〜ｂの一方に設けられ長手方向に延びた貫通孔であって、第一挿入部１１ａ〜ｂ、または第二挿入部２１ａ〜ｂの他方の長手方向に延びた部位が前記貫通孔に嵌合している。
また、第一挿入部１１ａ〜ｂが長尺の板状の部位であり、第二挿入部２１ａ〜ｂが長尺の板状の部位であり、長手方向に平行な視線から見て第一挿入部１１ａ〜ｂと第二挿入部２１ａ〜ｂとが貫通孔Ｇの位置を交差点として交差しているのが好ましい。
さらに、第一挿入部１１ａ〜ｂと第二挿入部２１ａ〜ｂとが、板厚方向に互いの面を当接して重なっているのが好ましい。
特に、第一挿入部１１ａ〜ｂと第二挿入部２１ａ〜ｂとが長手方向に交差する方向に分離不能になっているのが好ましい。
また特に、鍵穴の長手方向に直交する断面形状は、単数または複数の幅の厚い箇所と単数または複数の幅の狭い箇所との組み合わせでできている。第一挿入部１１ａ〜ｂまたは第二挿入部１２ａ〜ｂのガイドＧの設ける位置を、幅の狭い個所の位置に一致させるのが好ましい。この様にすると、一定の厚みの板材をプレスして製造された単数または複数の第一閉塞体１０と単数又は複数の第二閉塞体２０とを重ね合わせることで、一体として鍵穴に容易に挿入できる第一閉塞体１０ａ〜ｂと第二閉塞体２０ａ〜ｂとを容易に製造できる。【００２８】  第一の形式では、１個の第一閉塞体１０ａと１個の第二閉塞体２０ｂとが組合わされる。
図１は、本発明の第１の実施形態に係る閉塞体の説明図である。図１において、左上には個別になった第一閉塞体１０ａと第二閉塞体２０ａとを、右上にはその斜視図を、左下には長手方向を揃えて一体となった第一閉塞体１０ａと第二閉塞体２０ａとを、右下にはそのＡ−Ａ断面図を、示す。
図１は、１個のガイドＧが第二閉塞体２０ａに設けられているのを示す。ガイドＧが幅の狭い長手方向に長い貫通孔である。ガイドＧが、第二従動部２２ａの第二回動孔２５ａに繋がって、第二挿入部２１ａの中央部に長手方向に延びて、第二挿入ヘッド２４ａの近傍まで達している。
第一挿入部１１ａがガイドＧである貫通孔に挿入され、第一挿入部１１ａの中央部の長手方向に延びた箇所が第二挿入部２１ａの貫通孔の設けられた箇所と交差している。
長手方向に平行な視線から見ると、第一挿入部１１ａと第二挿入部２１ａとが中央部で交差し、第一挿入部１１ａと第二挿入部２１ａが互いの面を当接して板厚方向に重なって、一体になっている。【００２９】  次に、第二の形式では、２個の第一閉塞体１０ａと１個の第二閉塞体２０ｂとが組合わされる。
図２は、本発明の第２の実施形態に係る閉塞体の説明図である。図２において、左上には個別になった第一閉塞体１０ｂと第二閉塞体２０ｂとを、右上にはその斜視図を、左下には長手方向を揃えて一体となった第一閉塞体１０ｂと第二閉塞体２０ｂとを、右下にはそのＡ−Ａ断面図を、示す。
図２は、２本のガイドＧが第二閉塞体２０ｂに設けられているのを示す。ガイドＧが幅の狭い長手方向に長い貫通孔である。平行になった２本のガイドＧが、第二挿入部２１ｂに、端部の近傍から長手方向に前方に延びて、第二挿入ヘッド２４ａの近傍まで達している。
一方の第一挿入部１１ｂが下方のガイドＧである貫通孔に挿入され、他方の第一挿入部１１ｂが上方のガイドＧである貫通孔に挿入される。
一方の第一挿入部１１ｂの中央部の長手方向に延びた箇所が第二挿入部２０ｂの下方の貫通孔Ｇの設けられた箇所と交差している。
他方の第一挿入部１１ｂの中央部の長手方向に延びた箇所が第二挿入部２０ｂの上方の貫通孔Ｇの設けられた箇所と交差している。
長手方向に平行な視線から見ると、一方の第一挿入部１１ｂの中央部と第二挿入部２１ｂの下部とが交差し、他方の第一挿入部１１ｂの中央部と第二挿入部２１ｂの下部とが交差し、一方の第一挿入部１１ｂと第二挿入部２１ｂと他方の第一挿入部１１ｂとが互いの面を当接して板厚方向に重なって、一体となっている。【００３０】  次に、本発明の実施形態に係る第三と第四と第五との形式の第一閉塞体と第二閉塞体とを説明する。
ガイドＧが、第一挿入部１１ｃ〜ｅまたは第二挿入部２１ｃ〜ｅの一方に設けられ長手方向に延びた溝Ｇであって、第一挿入部１１ｃ〜ｅまたは第二挿入部２１ｃ〜ｅの他方の長手方向に延びた部位が溝Ｇに嵌合してぃる。
また、長手方向に平行な視線から見て第一挿入部１１ｃ〜ｅと第二挿入部２１ｃ〜ｅの一方が溝Ｇを形成するコの字状の断面を有し、第一挿入部１１ｃ〜ｅと第二挿入部２１ｃ〜ｅの他方が長尺の板状の部位であり、第一挿入部１１ｃ〜ｅと第二挿入部２１ｃ〜ｅの他方の縁部が溝Ｇに嵌合しているのが好ましい。
また、第一挿入部１１ｃ〜ｅと第二挿入部２１ｃ〜ｅとが、板厚方向に互いの面を当接して重なっているのが好ましい。
特に、第一挿入部１１ｃ〜ｅと第二挿入部２１ｃ〜ｅとが長手方向に交差する方向に分離不能になっているのが好ましい。
また特に、溝を形成するコの字状の断面の縁部を内側にすぼめるのが好ましい。この様にすると、溝を設けられた第一挿入部１１ｃ〜ｅまたは第二挿入部２１ｃ〜ｅの一方と溝の嵌合する第一挿入部１１ｃ〜ｅまたは第二挿入部２１ｃ〜ｅの他方とがより分解しにくくなる。【００３１】  第三の形式では、２個の第一閉塞体１０ｃと２個の第二閉塞体２０ｃとが組合わされる。
図３は、本発明の第三の実施形態に係る閉塞体の説明図である。図３において、左上には個別になった第一閉塞体１０ｃと第二閉塞体２０ｃとを、右上にはその斜視図を、左下には長手方向を揃えて一体となった第一閉塞体１０ｃと第二閉塞体２０ｃとを、右下にはそのＡ−Ａ断面図を、示す。
図３は、１個のガイドＧが一方の第一閉塞体１０ｃに設けられ、１個のガイドＧが他方の第一閉塞体１０ｃに設けられているのを示す。ガイドＧは、長手方向に平行な視線から見てコの字状に断面で形成される溝である。一方の第一挿入部１１ｃに設けられたガイドＧは、上に開口され長手方向に延びた溝である。他方の第一挿入部１１ｃに設けられたガイドＧは、下に開口された長手方向に延びた溝である。
第二閉塞体２０ｃは、長尺の板状の部位である。２個の第二閉塞体２０ｃが平行に重ねられ、一体になっている。
２個の第二閉塞体２０ｃの下方の縁部が、一方の第一挿入部１１ｃに設けられたガイドＧに嵌合する。
２個の第二閉塞体２０ｃの上方の縁部が、他方の第一挿入部１１ｃに設けられたガイドＧに嵌合する。【００３２】  第四の形式では、２個の第一閉塞体１０ｄと１個の第二閉塞体２０ｄとが組合わされる。
図４は、本発明の第四の実施形態に係る閉塞体の説明図である。図４において、左上には個別になった第一閉塞体１０ｄと第二閉塞体２０ｄとを、右上にはその斜視図を、左下には長手方向を揃えて一体となった第一閉塞体１０ｄと第二閉塞体２０ｄとを、右下にはそのＡ−Ａ断面図を、示す。
図４は、１個のガイドＧが一方の第一閉塞体１０ｄに設けられ、１個のガイドＧが他方の第一閉塞体１０ｄに設けられているのを示す。ガイドＧは、長手方向に平行な視線から見てコの字状の断面で形成される溝である。一方の第一挿入部１１ｄに設けられたガイドＧは、上に開口され長手方向に延びた溝である。他方の第一挿入部１１ｄに設けられたガイドＧは、下に開口された長手方向に延びた溝である。
第二閉塞体２０ｄは、長尺の板状の部位である。
第二閉塞体２０ｄの下方の縁部が、一方の第一挿入部１１ｄに設けられたガイドＧに嵌合する。
第二閉塞体２０ｄの上方の縁部が、他方の第一挿入部１１ｄに設けられたガイドＧに嵌合する。【００３３】  第五の形式では、２個の第一閉塞体１０ｅと２個の第二閉塞体２０ｅとが組合わされる。
図５は、本発明の第五の実施形態に係る閉塞体の説明図である。図５において、左上には個別になった第一閉塞体１０ｅと第二閉塞体２０ｅとを、右上にはその斜視図を、左下には長手方向を揃えて一体となった第一閉塞体１０ｅと第二閉塞体２０ｅとを、右下にはそのＡ−Ａ断面図を、示す。
図５は、１個のガイドＧが一方の第一閉塞体１０ｅに設けられ、１個のガイドＧが他方の第一閉塞体１０ｅに設けられているのを示す。ガイドＧは、長手方向に平行な視線から見てコの字状に断面で形成される溝である。一方の第一挿入部１１ｅに設けられたガイドＧは、上に開口され長手方向に延びた溝である。他方の第一挿入部１１ｅに設けられたガイドＧは、下に開口された長手方向に延びた溝である。
第二閉塞体２０ｅは、長尺の板状の部位である。２個の第二閉塞体２０ｅが平行に重ねられ、一体になっている。
２個の第二閉塞体２０ｅの下方の縁部が、一方の第一挿入部１１ｅに設けられたガイドＧに嵌合する。
２個の第二閉塞体２０ｅの上方の縁部が、他方の第一挿入部１１ｅに設けられたガイドＧに嵌合する。【００３４】  上述の実施形態の鍵穴閉塞装置を用いれば、以下の効果を発揮する。
滑り而を設けた第一挿入部と第一従動部とが繋がった第一閉塞体とロック面を設けた第二挿入部と第二従動部とが繋がった第二閉塞体とを重ねて、鍵穴に挿入してロック面を錠前の内部構造に（例えば、タンブラーピン）に係合させて、鍵穴を閉塞できる様にし、また、第二回動孔に嵌まった同軸の第二カムと第一回動孔に嵌まった偏心した第一カムとを持ったカムディスクを設け、錠前シリンダがカムディスクを回転できる様にしたので、合致する鍵を使用した時だけ、カムディスクを回転させて、第二挿入部に対して第一挿入部を往復動し、滑り面が内部構造（例えば、タンブラーピン）に当接して滑り、ロック面の内部構造に対する係合を解除して、第一挿入部と第二挿入部とを鍵穴から抜いて、鍵穴を開放できる。
さらに、第一挿入部または第二挿入部の一方に設けられたガイドが、第一挿入部または第二挿入部の他方を前記長手方向に摺動自在に案内するので、前記ガイドが第一挿入部と第二挿入部との長手方向に交差する方向の相対的移動を拘束し、第一挿入部と第二挿入部との全体の剛性が向上する。
また、第二挿入部に長手方向に延びた貫通孔になったガイドを設け、第一挿入部の長手方向の箇所を貫通孔に挿入して、長手方向に平行な視線で見て、第一挿入部と第二挿入部が交差する様にしたので、第一挿入部と第二挿入部との全体の剛性が向上する。
また、第一挿入部と第二挿入部とを互いに板厚方向の互いの面を当接して重なる様にしたので、第一挿入部と第二挿入部との全体の剛性が向上する。
また、第二挿入部に長手方向に延びた貫通孔になった２本のガイドを設け、２個の第一挿入部の長手方向の箇所を２個の貫通孔に各々に挿入して、長手方向に平行な視線で見て、２個の第一挿入部と第二挿入部が交差したので、２個の第一挿入部と第二挿入部との全体の剛性が向上する。
また、２個の第一挿入部と第二挿入部を互いに板厚方向の互いの面を当接して重なる様にしたので、２個の第一挿入部と第二挿入部との全体の剛性が向上する。
また、２個の第一挿入部に長手方向に延びた溝になったガイドを各々設け、２個の板状の第二挿入部を重ね、一体となった第二挿入部の上下の縁を２個の第一挿入部のガイドに嵌合したので、２個の第一挿入部と２個の第二挿入部との全体の剛性が向上する。
また、２個の第一挿入部に長手方向に延びた溝になったガイドを各々設け、１個の板状の第二挿入部の上下の縁を２個の第一挿入部のガイドに嵌合したので、２個の第一挿入部と１個の第二挿入部との全体の剛性が向上する。
第一挿入部と第二挿入部との全体の剛性が向上すると、案内面と内部構造との当接及びロック面と内部構造との係合が確実になる。【００３５】  本発明は以上に述べた実施形態に限られるものではなく、発明の要旨を逸脱しない範囲で各種の変更が可能である。
実施形態では、１個または複数個の滑り面が第一挿入部に設Ａけられ、１個または複数個のロック面が第二挿入部に設けられる例で説明したが、滑り面の数またはロック面の数は限定されない。特に、滑り面の数またはロック面の数を増やすと、鍵穴の内部構造への案内面の当接やロック面の係合が確実になる。
また  実施形態では、１個または２個の第一閉塞体と１個または２個の第二閉塞体との組合わせて説明したがこれに限定されない。
また、実施形態では、カムディスクを用いた端部機構を説明したが、これに限定されない。
また、実施形態では、内部構造をタンブラーピンであるとして説明したが、これに限定されない。
【図面の簡単な説明】
【００３６】
【図１】  本発明の実施形態に係る第一の形式の第一、第二閉塞体の説明図である。
【図２】  本発明の実施形態に係る第二の形式の第一、第二閉塞体の説明図である。
【図３】  本発明の実施形態に係る第三の形式の第一、第二閉塞体の説明図である。
【図４】  本発明の実施形態に係る第四の形式の第一、第二閉塞体の説明図である。
【図５】  本発明の実施形態に係る第五の形式の第一、第二閉塞体の説明図である。
【図６】  本発明の実施形態に係る鍵穴閉塞装置の全体断面図である。
【図７】  本発明の実施形態に係る鍵穴閉塞装置の組立図である。
【図８】  本発明の実施形態に係る鍵穴閉塞装置の作動図である。
【符号の説明】
【００３７】  Ｇ    ガイド
Ｄ    移動距離
１    鍵穴閉塞装置
２    錠前
３    内部構造（タンブラー）
４    内部構造（スプリング）
５    ドア
６    ベゼルシリンダ
１０、１０ａ〜ｅ    第一閉塞体
１１、１１ａ〜ｅ    第一挿入部
１２、１２ａ〜ｅ    第一従動部
１３、１３ａ〜ｅ    滑り面
１４、１４ａ〜ｅ    第一挿入ヘッド
１５、１５ａ〜ｅ    第一回動孔
２０、２０ａ〜ｅ    第二閉塞体
２１、２１ａ〜ｅ    第二挿入部
２２、２２ａ〜ｅ    第二従動部
２３、２３ａ〜ｅ    ロック面
２４、２４ａ〜ｅ    第二挿入ヘッド
２５、２５ａ〜ｅ    第二回動孔
３０    カムディスク
３１    カムディスク基台
３２    第一カム
３３    第二カム
４０    装置用錠前
４１    装置用錠前外套
４２    装置用錠前シリンダ
５０    カム押さえ
５１    ストッパ
５２    ねじ
６０    ケーシング
６１    ケース
６２    シリンダキャップ
７０    鍵
【図１】
2005299360.tif 000003
【図２】
2005299360.tif 000004
【図３】
2005299360.tif 000005
【図４】
2005299360.tif 000006
【図５】
2005299360.tif 000007
【図６】
2005299360.tif 000008
【図７】
2005299360.tif 000009
【図８】
2005299360.tif 000010